(57)【要約】      （修正有）【課題】ひも使用のシューズにおいて、ひもを取り外し、そして、この発明に係るシューズゴムをシューズ鳩目に取り付けるだけで子供でも履きやすいひも使用のシューズを提供する。【解決手段】シューズゴム１をシューズ１６の足挿入口１４に続く長穴２１の両側に形成のシューズ鳩目２２のそれぞれ一対ごとに一つずつ通す。通されたシューズゴム１の一端をシューズゴム１に備えられた係止具４に引っ掛ける。シューズ１６にシューズゴム１が取付けられ、このシューズゴム１の弾性力によりシューズ１６を履くこと、脱ぐことが容易となる。【選択図】図５
2016140362.tif 000002
【特許請求の範囲】
【請求項１】
弾力性を持つゴム材の両端を結んだり、接着して輪に構成し、それに係止具を備えたことを特徴とするシューズゴム。
【請求項２】
前記シューズゴムは、シューズの形状のベース板に、シューズの形状に対応し、長手方向で２列にしかも所望の数のシューズゴム取付穴を穿設して成るシューズゴムホルダの前記シューズゴム取付穴のそれぞれ一対ごとに一つずつ取付けられて展示されることを特徴とする請求項１記載のシューズゴム。
【請求項３】
前記シューズゴム取付穴は、２列でしかも５個形成されたことを特徴とする請求項２記載のシューズゴム。
【請求項４】
前記ベース板には、吊持穴を穿設されていることを特徴とする請求項２記載のシューズゴム。
【請求項５】
前記シューズゴムをシューズの足挿入口に続く長穴の両側に形成のシューズ鳩目のそれぞれ一対ごとに一つずつ通し、通されたシューズゴムの一端をこのシューズゴムに備えられた係止具に引っかけて用いることを特徴とするシューズゴムを装着のシューズ。
【請求項６】
前記シューズゴムは、前記シューズゴムホルダのシューズゴム取付穴より取り外して、それに対応する所のシューズ鳩目に取付けられることを特徴とする請求項５記載のシューズゴムを装着のシューズ。
【請求項７】
前記シューズゴムのシューズへの装着が、前記シューズ鳩目に対し、足挿入口側より一対ごとに一つずつ全部又は一部に行われることを特徴とする請求項５記載のシューズゴムを装着のシューズ。
【発明の詳細な説明】
【技術分野】
【０００１】
この発明は、シューズに装着されて使用されるシューズゴム及びこのシューズゴムを装着したシューズに関する。
【背景技術】
【０００２】
スニーカー又はスポーツシューズ等で、靴ひもの付いたタイプのシューズは、靴ひもによって、挿入された足に対して締め付け具合を調節できる機構となっていて、適切にフィットした状態でシューズを履くことができる。
【０００３】
具体的には、シューズは挿入された足を固定するため、足挿入口に続く長溝の両側のフラップに形成の複数個のシューズ鳩目に左右交互に通される一本の長い靴ひもを有し、その靴ひもの両端を締め付けて結ぶことで行われ、シューズを履くことができる。ところが、学童等の小さな子供は、靴ひもの扱いが熟しておらず、結ぶことが難しく、そのつど親など大人が靴ひもの結びを手伝っていた。
【０００４】
そこで、子供シューズなどでは、その製造メーカーは、靴ひもの使用をあきらめ、面ファスナーを用いるシューズを提供している例もある。しかし、その一方
、靴ひも付きシューズは、靴ひも無しのシューズに対し、カッコが良い、より上品で、正式である、大人びている、足に対してより適切な締付状態を保つことができる等の利点から靴ひも付きシューズの根強い人気を維持している。
【０００５】
先行技術文献として、特許文献１を挙げることができる。この特許文献１に示される例は、靴ひもを使用しながら容易に靴を履いたり脱いだりすることができるような補助具を提供している。
【先行技術文献】
【特許文献】
【０００６】
【特許文献１】特開２００５−２７９０１５号公報
【発明の概要】
【発明が解決しようとする課題】
【０００７】
しかし、この特許文献にあって、面ファスナーを用いる例に近く、シューズの構造を変えなければ採用できない不都合があった。そこで、この発明は、ひも使用のシューズにおいて、ひもを取り外し、そして、この発明のシューズゴムをシューズ鳩目に取り付けるだけで、子供でも履きやすい靴ひも使用のシューズを提供することを課題としている。
【課題を解決するための手段】
【０００８】
この発明に係るシューズゴムは、弾力性を持つゴム材の両端を結んだり、接着して輪に構成し、それに係止具を備えたことを特徴としている（請求項１）。ここで用いられるシューズゴムはゴム材を主材料とする輪の構成で、その輪は両端を結んだり、接着して製造している。また、シューズゴムに花等の形状の係止具を取付けている。この係止具は、プラスチックで製造され、孔が穿たれ、その孔に輪が通されている。
【０００９】
シューズゴムの展示や使用例を明らかにする目的から、シューズゴムホルダが開発され、シューズゴムは、シューズの形状のベース板に、シューズの形状に対応し、長手方向で２列にしかも所望の数のシューズゴム取付穴を穿設して成るシューズゴムホルダの前記シューズゴム取付穴のそれぞれ一対ごとに一つずつ取付けられて展示されることを特徴としている（請求項２）。シューズゴムホルダがシューズゴムに装着されて展示されることで、使用例・使用方法が一目瞭然となるように作られている。
【００１０】
シューズゴム取付孔は、例えば２列でしかも５個形成されていることを特徴としている（請求項３）。また、吊持展示を図るために、一つの吊持孔を形成している（請求項４）
【００１１】
このシューズゴムを用いるシューズは、前記シューズゴムをシューズの足挿入口に続く長穴の両側に形成のシューズ鳩目のそれぞれ一対ごとに一つずつ通し、通されたシューズゴムの一端をこのシューズゴムに備えられた係止具に引っかけて用いることを特徴としている（請求項５）。
【００１２】
これにより、シューズを履くときは、足挿入口に足を入れると共にそれに続く長孔が足の挿入に伴ってシューズゴムが伸びて左右方向に広けられ、スムーズに足がシューズ内に入り込むことになる。シューズ内に足が入り込むと、シューズゴムの自らのゴムの弾力性から左右方向に縮んで、足にシューズをフィットさせることになる。また脱ぐときも、足の動きに伴ってシューズゴムが左右方向に伸び、スムーズに脱ぎ動作が行われる。
【００１３】
シューズゴムは、前記シューズゴムホルダのシューズゴム取付穴より取り外して用いられている（請求項６）。そして、シューズゴムのシューズへの装着が、足挿入口側より一対ごとに一つずつ全部又は一部に行われることを特徴としている（請求項７）。即ち、全部だと、足挿入口および長穴は大きく広げられ、また一部だと、それよりも小さく広げられることで、足の大小並びにシューズの大きさに合わせてシューズゴムの数が選択される。
【発明の効果】
【００１４】
請求項１の発明によれば、シューズゴムは、ゴム材よりなる輪と、その輪に備えた係止具とより作られ、このような簡易の構造から形状の変更は容易で、細長い輪とすることもでき、一対のシューズ鳩目に容易に挿入できる。
【００１５】
請求項２の発明によれば、シューズゴムの使用例を説明するのに、シューズゴムがシューズ形状のベース板に形成のシューズゴム取付穴に挿入した上で展示されるため、使用例の説明がシューズゴムホルダの目視から説明を必要としないほど明確となっている。
【００１６】
請求項４の発明によれば、吊持穴によってシューズゴムホルダをベース板の一端側を上方に、他端側を下方に吊持して展示が可能である。
【００１７】
請求項５の発明によれば、シューズを履くため、足をシューズの足挿入口に挿入時に、その足の挿入圧力で足挿入口並びにそれに続く長穴がシューズゴムの弾力性に抗して広げられることから、履くのに手を加えずとも、手を加えたとしても少しだけで、極めて容易となる。
【００１８】
履いた後は、シューズゴムの弾力性により縮んでシューズを足にフィットさせる。また脱ぐときには、足の動きに伴ってシューズゴムが伸び、足挿入口並びにそれに続く長穴が広がり、シューズから足を脱ぎやすくなる。
【００１９】
請求項７の発明によれば、シューズゴムがシューズのシューズ鳩目に全部取付けられると、足挿入的に足挿入口及び長穴が大きく広げることができるが、一部だとそれよりも小さく広げられることで、足の大小並びにシューズの大きさに合わせてシューズゴムの数を選択することで、各自みずから自分に合うようにフィットさせることができる。
【図面の簡単な説明】
【００２０】
【図１】図１（ａ），（ｂ）は、この発明に係るシューズゴムの平面図である。
【図２】図２は、同上の要部の拡大図である。
【図３】図３は、シューズゴムが取付けられるシューズゴムホルダである。
【図４】図４は、シューズゴムホルダにシューズゴムを取付けた状態の斜視図である。
【図５】図５は、シューズにシューズゴムを全部取付けた状態の斜視図である。
【図６】図６は、シューズにシューズゴムを一部取付けた状態の斜視図である。
【実施例１】
【００２１】
図１（ａ），（ｂ）及び図２において、この発明に係るシューズゴム１が示されている。このシューズゴム１は弾力性を持つゴム材を主体として、表面を布で被覆され、該布は着色されている。この実施例は一本の素材で、その両端を結んで輪２としている。両端を接着して接着部３ａを持つ輪２とすることもできる。輪２は外力を加えて引っ張れば、直線状に形状を変えることができる。
【００２２】
係止具４は所望の形状、例えば花、蝶などとし、取付孔５を有し、シューズゴム１に通されている。この係止具４にも着色されている。この係止具４は直径は下記するシューズ鳩目２２の直径よりも大きく構成されている。
【００２３】
図３において、前記シューズゴム１の展示を計るためシューズゴムホルダ７が示されている。このシューズゴムホルダ７は、紙などから作られ、表面にシューズ形状が印刷されると共に、外形がシューズ形状に打ち抜かれているベース板１１より成っている。印刷内容を詳細に説明すると、シューズの表面のアッパー部材形状であって、足挿入口形状８、それに続く長穴形状９や、上方部位にリボン形状１０等が描かれている。
【００２４】
しかし、前記長穴形状９の両側には印刷でなく、シューズゴムが取付けられるシューズゴム取付穴１２が２列で長手方向にそれぞれ５個が穿たれている。このシューズゴム取付穴１２の数は任意である。１３は舌片形状である。また、前記リボン形状１０の左右方向中心に、一つの吊持穴１４が形成されている。
【００２５】
図４において、シューズゴムホルダ７にシューズゴム１が取付けられ、展示される例が示されている。シューズゴムホルダ７のシューズゴム取付穴１２にシューズゴム１を取付けるには、まずシューズゴム１の係止具４を持つと共に、空いている手にて引っ張って細長くし、その後に一端を一対のシューズゴム取付穴１２の一方に表面側から裏面側に向かって挿入し、裏面側に突出した一端を再び裏面側から一対のシューズゴム取付穴１２の他方に挿入し、表面側に突出させ、その突出した一端を係止具４がシューズゴム取付穴１２の一方に係止されるまで引き出す。
【００２６】
そして、シューズゴム１の一端を前記係止具４に引っ掛けることで、シューズゴム１がシューズゴムホルダ７に取付けられる。シューズゴム取付穴１２は２列で５個の５対あるから、他の４対も上記と同様な動作を行って取付けられる。その際に係止具４が交互に配されるように取付動作を行う。
【００２７】
シューズゴム１はシューズゴムホルダ７に取付けられ、吊持穴１４を用いて展示され、消費者に目視され、シューズゴム１の使用例が直接に訴えられ、使用説明書と同様な作用効果を発揮している。
【００２８】
図５において、シューズ１６にシューズゴム１が全部に装着された例が示されている。シューズ１６の構造は、アッパー部１７がソール部１８に取付けられ、前記アッパー部１７に足挿入口１９とそれに続く長穴２１と、長穴２１に沿って２列で長手方向にそれぞれ５個が穿たれたシューズ鳩目２２と、長穴２１内の舌片２３とより成る極めてポピュラーな例となっている。このようなシューズ１６にシューズゴム１を取付けるには、予め取付けられているシューズひもを取り外しておかなければならない。
【００２９】
前記シューズ鳩目２２は、２列で５個の５対であるから、一対ずつに、前記シューズゴムホルダ７に取付けたシューズゴム１がそのままの状態で使用例と同等に、取り外したシューズゴム１をシューズ１６の一対のシューズ鳩目２２にそれぞれ取付けられる。
【００３０】
シューズゴム１のシューズ１６への取付は、シューズゴム１の係止具４を持つと共に空いている手にて引っ張って細長くし、その後に一端を一対のシューズ鳩目２２の一方に表面側から裏面側に向かって挿入し、裏面側に突出した一端を再び裏面側から一対のシューズ鳩目２２の他方に挿入し、表面側に突出させ、その突出した一端を係止具４がシューズ鳩目２２の一方に係止されるまで引き出す。
【００３１】
そして、引き出されたシューズゴム１の一端を前記係止具４に引っ掛けることで、シューズゴム１がシューズ１６に装着される。シューズ鳩目２２は２列で５個の５対であるから、他の４対も上記と同様な動作を行って装着される。その際に係止具４が交互に配されるように取付動作を行う。
【００３２】
なお、シューズゴム１がシューズ１６に取付けられるが、足に対する締付けが緩い場合には、シューズゴム１の長さを短くして対応し、結び目３の内側に新たに結び目を作って調節すれば良い。
【００３３】
シューズゴム１が装着されたシューズ１６を履くには、足挿入口１９に足を入れると共に、それに続く長穴２１が足の挿入に伴ってシューズゴム１が伸びて左右方向に広げられ、スムーズに足がシューズ１６内に入り込むことになる。シューズ１６内に足が入り込むと、シューズゴム１が伸びて左右方向に広げられ、スムーズに足がシューズの自らのゴムの弾力性から左右方向に縮んで、足にシューズ１６をフィットさせることができる。また脱ぐときも、足の動きに伴ってシューズゴム１が左右方向に伸び、スムーズに脱ぎ動作が行われる。このようにシューズひもをシューズ１６から取り外し、シューズゴム１を取り付けることで、シューズゴム１の弾力性によりシューズ１６を履くのみならず脱ぐのも容易とすることができる。
【００３４】
図６において、シューズ１６にシューズゴム１が一部のみ装着された例が示されている。前記したとおり、シューズ１６に全部装着された例であるに対し、図６の実施例では一部である２対の例が示されている。即ちシューズゴム１の数の選択することで自ら自分の足に合うようにフィットさせることができる。２５は一般的なシューズひもである。
【符号の説明】
【００３５】
１  シューズゴム
３  結び目
４  係止具
７  シューズゴムホルダ
９  長穴形状
１０  リボン形状
１２  シューズゴム取付穴
１４  吊持穴
１６  シューズ
１９  足挿入口
２１  長穴
２２  シューズ鳩目
【図１】
2016140362.tif 000003
【図２】
2016140362.tif 000004
【図３】
2016140362.tif 000005
【図４】
2016140362.tif 000006
【図５】
2016140362.tif 000007
【図６】
2016140362.tif 000008